(57)【要約】【課題】外箱からリード線を取り外さなくても、トップカバーの前部を十分な高さまで持ち上げ可能にする。【解決手段】本実施形態の洗濯機は、水槽３が収容された外箱２と、前記外箱２の上部に設けられたトップカバー５とを備えたものであって、前記トップカバー５の第１保持部１９に固定されると共に、前記外箱２の第２保持部２０に固定されたリード線９を備えた。そして、前記トップカバー５の前部を持ち上げたときに、前記トップカバー５の前部下部と前記外箱２の前部上部との間の距離が２００ｍｍ以上となるように、前記リード９線における前記第１保持部１９と前記第２保持部２０との間に、たるみ部分２１を設けた。【選択図】図１
2019000300.tif 000002
【特許請求の範囲】
【請求項１】
水槽が収容された外箱と、前記外箱の上部に設けられたトップカバーとを備えた洗濯機であって、
前記トップカバーの第１保持部に固定されると共に、前記外箱の第２保持部に固定されたリード線を備え、
前記トップカバーの前部を持ち上げたときに、前記トップカバーの前部下部と前記外箱の前部上部との間の距離が２００ｍｍ以上となるように、前記リード線における前記第１保持部と前記第２保持部との間に、たるみ部分を設けた洗濯機。
【請求項２】
水槽が収容された外箱と、前記外箱の上部に設けられたトップカバーとを備えた洗濯機であって、
前記トップカバーの第１保持部に固定されると共に、前記外箱の第２保持部に固定されたリード線を備え、
前記トップカバーの前部を持ち上げたときに、前記トップカバーの後部を回動支点として前記トップカバーの回動角度が４５度以上となるように、前記リード線における前記第１保持部と前記第２保持部との間に、たるみ部分を設けるように構成された洗濯機。
【請求項３】
前記トップカバーの内部には、前記リード線のたるみ部分が逆Ｕ字状に曲げて収容されている請求項１または２記載の洗濯機。
【請求項４】
前記トップカバーの内部に、前記リード線の逆Ｕ字状のたるみ部分を支持するように設けられた支持部を備えた請求項３記載の洗濯機。
【請求項５】
前記リード線における前記トップカバーと前記外箱との境目に対応する位置を点Ａとし、前記リード線における逆Ｕ字状部分と横方向に延びる部分との境目に対応する位置を点Ｂとし、前記リード線のたるみ部分の長さ寸法である前記リード線の点Ａから点Ｂまでの長さ寸法をＬ１とし、前記リード線にたるみ部分を設けなかった構成の前記リード線の点Ａから点Ｂまでの長さ寸法をＬ２とし、前記トップカバーの前部を持ち上げたときの前記リード線の点Ａの移動距離をＬ３とし、
Ｌ１＞Ｌ２＋Ｌ３
が成立するように構成した請求項３または４記載の洗濯機。
【発明の詳細な説明】
【技術分野】
【０００１】
本発明の実施形態は、外箱の上部にトップカバーが設けられた洗濯機に関する。
【背景技術】
【０００２】
例えば全自動洗濯機において、修理を行なう場合、外箱の上部からトップカバーの前部を持ち上げて、修理作業を実行する。この場合、リード線の束（以下、リード線と称す）の一部分がトップカバーに固定されていると共に、リード線の他の部分が外箱に固定されていることから、トップカバーの前部を持ち上げると、リード線のうちのトップカバーと外箱とにわたる部分が張った状態になる。このため、トップカバーの前部をあまり持ち上げることができなかった。この場合、修理作業が可能な高さまでトップカバーの前部を持ち上げるためには、外箱に固定されたリード線を取り外す必要がある。
【０００３】
そこで、従来構成においては、全自動洗濯機の外箱の背面にある裏蓋を外し、裏蓋を外した点検口から、外箱に固定されたリード線を取り外している。しかし、裏蓋を外すためには、全自動洗濯機を設置場所から移動させて裏蓋の外側に作業の邪魔になるものがないようにする作業が必要になることが多く、作業性が良くなかった。
【先行技術文献】
【特許文献】
【０００４】
【特許文献１】特開平９−２８５６８５号公報
【発明の概要】
【発明が解決しようとする課題】
【０００５】
そこで、外箱からリード線を取り外さなくても、トップカバーの前部を十分な高さまで持ち上げることができる洗濯機を提供する。
【課題を解決するための手段】
【０００６】
本実施形態の洗濯機は、水槽が収容された外箱と、前記外箱の上部に設けられたトップカバーとを備えたものであって、前記トップカバーの第１保持部に固定されると共に、前記外箱の第２保持部に固定されたリード線を備えた。そして、前記トップカバーの前部を持ち上げたときに、前記トップカバーの前部下部と前記外箱の前部上部との間の距離が２００ｍｍ以上となるように、前記リード線における前記第１保持部と前記第２保持部との間に、たるみ部分を設けた。
【０００７】
本実施形態の他の洗濯機は、水槽が収容された外箱と、前記外箱の上部に設けられたトップカバーとを備えたものであって、前記トップカバーの第１保持部に固定されると共に、前記外箱の第２保持部に固定されたリード線を備えた。そして、前記トップカバーの前部を持ち上げたときに、前記トップカバーの後部を回動視点として前記トップカバーの回動角度が４５度以上となるように、前記リード線における前記第１保持部と前記第２保持部との間に、たるみ部分を設けた。
【図面の簡単な説明】
【０００８】
【図１】第１実施形態による洗濯機の破断側面図
【図２】トップカバーの前部を持ち上げた図１相当図
【図３】トップカバーのうちのリード線のたるみ部分を配設した周辺部分を示す破断斜視図
【図４】トップカバーのうちのリード線のたるみ部分を配設した周辺部分を示す部分縦断側面図
【図５】トップカバーの前部を持ち上げた図４相当図
【発明を実施するための形態】
【０００９】
（第１実施形態）
図１に例示する洗濯機１は、洗濯物を洗濯する洗濯機能および洗濯物を乾燥する乾燥機能を備えた、いわゆる洗濯乾燥機である。洗濯機１は、洗濯槽の回転中心軸が垂直方向に延びる、いわゆる縦軸型の洗濯機である。洗濯機１は、その外郭を構成する外箱２の内部に、上面が開放した有底円筒状の水槽３を備える。水槽３は、弾性吊持機構４によって弾性的に支持されている。
【００１０】
また、外箱２の上部には、トップカバー５が配設されており、このトップカバー５には、水槽３の上方に位置して、例えば二つ折り可能な洗濯蓋６が開閉可能に設けられている。尚、洗濯蓋６は、二つ折りタイプに限定されるものではなく、水槽３の上部を開閉可能な洗濯蓋であれば良い。トップカバー５の前部に設けられた係合部（図示しない）を外箱２の上部前部に設けられた被係合部（図示しない）に係合させると共に、トップカバー５の後部を外箱２の上部後部にねじ止めすることにより、トップカバー５を外箱２に取り付けている。トップカバー５の上面の前部には、操作パネル７が配設されており、トップカバー５の内部における上記操作パネル７の下方には、制御装置８が配設されている。
【００１１】
制御装置８からリード線９が導出されており、このリード線９は、複数（例えば２０本程度）のリード線を束状にして縛ったものである。リード線９は、トップカバー５内の側辺部に沿って前部から後部へ配設され、トップカバー５の後部から外箱２内へ導かれるように配設されている。尚、トップカバー５の後部及び外箱２の上部後部周辺におけるリード線９の具体的な配設構造については、後述する。
【００１２】
また、外箱２の内部には、給水弁（図示しない）などを備える給水部（図示しない）が設けられている。水槽３の内部には、上記給水部から供給される水が貯留される。また、外箱２の内部には、排水弁１０などを備える排水部１１が設けられている。水槽３内の水は、この排水部１１により機外に排水される。また、水槽３の内部には、上面が開放した有底円筒状の洗濯槽１２が回転可能に設けられている。
【００１３】
洗濯槽１２は、垂直な軸線を中心に回転するように構成されており、洗濯物を洗う洗い行程および洗濯物をすすぐすすぎ行程における洗濯槽、および、洗濯物を脱水する脱水行程における脱水槽として兼用される。また、この洗濯槽１２を収容する水槽３は、洗濯物を乾燥する乾燥行程においては、乾燥対象である洗濯物が収容される乾燥室として機能する。洗濯槽１２の内部の底部には、パルセータ１３が回転可能に設けられている。
【００１４】
水槽３の下部の中央部には、洗濯槽１２およびパルセータ１３を回転させるための駆動部１４が設けられている。駆動部１４は、駆動用モータ１５や、洗濯・すすぎ運転と脱水運転を切り替えるクラッチ機構（図示しない）などを備えている。
【００１５】
水槽３の上部には、水槽カバー１６が取り付けられている。水槽カバー１６には、開口部が形成されており、この開口部は、水槽カバー１６に設けられている内蓋１７によって開閉される。ユーザは、外箱２の上部の洗濯蓋６を開き、且つ、内蓋１７を開くことにより、開口部を介して洗濯槽１２への洗濯物の出し入れが可能となっている。
【００１６】
また、外箱２の内部へ導かれたリード線９は、外箱２内の後部の隅部を上から下へ延びるように配設されており、その下端部１８が水槽３の外底部において電装品（例えば排水弁１０、駆動用モータ１５、クラッチ機構の駆動部等）に接続されている。
【００１７】
さて、トップカバー５内の後部において、リード線９は、図１に示すように、トップカバー５に設けられた第１保持部１９により固定されている。第１保持部１９は、リード線９を着脱自在に締め付け固定する例えば保持ベルトで構成されている。第１保持部１９は、洗濯機１の本体の後部、具体的には、トップカバー５内の後部におけるトップカバー５の後端部よりも少し手前であってトップカバー５内の下端部に配設されている。
【００１８】
そして、リード線９のうちの外箱２内の上部に配設された部分は、外箱２に設けられた第２保持部２０により固定されている。第２保持部２０は、リード線９を着脱自在に締め付け固定する例えば保持ベルトで構成されている。第２保持部２０は、洗濯機１の本体の後部、具体的には、外箱２内の後端部であって外箱２内の上端部に配設されている。
【００１９】
ここで、リード線９のうちの第１保持部１９と第２保持部２０との間の部分には、逆Ｕ状のたるみ部分２１が形成されている。たるみ部分２１は、洗濯機１の本体の後部、具体的には、トップカバー５内の後端部であってトップカバー５内の下端部に配設されている。この構成の場合、たるみ部分２１は、図２に示すように、トップカバー５の前部を持ち上げたときに、トップカバー５の前部下部と外箱２の前部上部との間の距離ｄが２００ｍｍ以上となるように構成されている。換言すると、たるみ部分２１が設けられることにより、トップカバー５の前部を持ち上げて、上記距離ｄが２００ｍｍ以上となるようにしても、リード線９が張った状態にならない構成、即ち、リード線９にストレスが作用しなくなる構成となっている。
【００２０】
尚、トップカバー５の前部を持ち上げるに際しては、トップカバー５の後部のねじを取り外し、トップカバー５の前部の係合部と外箱２の上部前部の被係合部との係合を解除した後、トップカバー５の後部（即ち、外箱２の上部後部）を回動支点として、トップカバー５を上方へ回動させるようにする。これにより、トップカバー５の前部を持ち上げることができる。
【００２１】
また、リード線９のたるみ部分２１を、トップカバー５の前部を持ち上げたときに、トップカバー５の後部を回動支点としてトップカバー５の回動角度θ（図２参照）が例えば４５度以上となるように構成しても良い。このように構成した場合も、トップカバー５の前部を持ち上げたときの距離ｄを、２００ｍｍ以上 となるように構成することが可能になっている。
【００２２】
また、リード線９のたるみ部分２１を、逆Ｕ字状に形成するに際しては、図３に示すように、たるみ部分２１の逆Ｕ字状の最上部２１ａを、トップカバー５の支持凸部２２に設けられた支持部２３により支持している。支持部２３は、たるみ部分２１の最上部２１ａを着脱自在に締め付け固定する例えば保持ベルトで構成されている。支持部２３は、洗濯機１の本体の後部、具体的には、トップカバー５内の後部に配設されている。
【００２３】
尚、リード線９の外箱２側へ延びる部分２４は、トップカバー５に形成された貫通孔２５内に挿入された後、外箱２内へ延びて配設され、第２保持部２０（図１参照）により固定されている。また、リード線９のトップカバー５内に配設された部分は、第１保持部１９（図１参照）により固定されている。
【００２４】
上記構成の場合、トップカバー５が外箱２の上部に取り付けられた状態では、図４に示すように、リード線９のたるみ部分２１は、逆Ｕ状に曲げられた形態でトップカバー５内に配設されている。この状態から、図５に示すように、トップカバー５の後部を回動支点Ｒとして、トップカバー５の前部を持ち上げて回動させると、リード線９の逆Ｕ状のたるみ部分２１が延びていくことにより、リード線９が張った状態にならずに、トップカバー５の回動角度θ（図２、図５参照）が４５度以上となるように構成されている。この場合、トップカバー５の前部下部と外箱２の前部上部との間の距離ｄ（図２参照）が２００ｍｍ以上となるようにも構成されている。
【００２５】
また、リード線９のたるみ部分２１の長さ寸法、具体的には、図４に示す点Ａから点Ｂまでのリード線９の中心線（２点鎖線参照）に沿った長さの寸法をＬ１とする。ここで、点Ａは、リード線９におけるトップカバー５と外箱２との境目に対応する位置である。点Ｂは、リード線９における逆Ｕ字状部分と横方向に延びる部分との境目に対応する位置である。
【００２６】
一方、リード線９にたるみ部分を設けずに、リード線９をトップカバー５内に配設した構成を、図４において破線で示す。このたるみ部分を設けないリード線９において、点Ａから点Ｂまでのリード線９の中心線（破線参照）の長さ寸法、即ち、最短寸法をＬ２とする。
【００２７】
更に、トップカバー５の前部を図４の状態から図５に示す位置まで持ち上げたとき、即ち、トップカバー５の回動角度θが例えば４５度になるまで持ち上げたときのリード線９のたるみ部分２１の点Ａの移動位置を点Ａ‘とし、点Ａから点Ａ‘までの距離（即ち、移動距離）をＬ３とする。ここで、トップカバー５の回動支点をＲとすると共に、回動支点Ｒと点Ａとの間の距離を、ｒとする。すると、
Ｌ３＝２ｒ×ｓｉｎ（θ／２）
が成立する。ここで、トップカバー５の前部を持ち上げるに際しては、トップカバー５を後方へずらすこと、即ち、トップカバー５を後退させることがある。このような場合、トップカバー５の回動支点Ｒが後方へずれることから、ｒが大きくなると共に、Ｌ３も大きくなる。このため、トップカバー５を後方へずらさない場合に、距離Ｌ３が最小となる。
【００２８】
更に、本実施形態においては、リード線９のたるみ部分２１の長さ寸法Ｌ１と、図４にて破線で示すリード線９の最短寸法Ｌ２と、図５に示す点Ａ−点Ａ‘間の距離Ｌ３とについて、
Ｌ１＞Ｌ２＋Ｌ３
が成立するように構成されている。このように構成することにより、トップカバー５の前部を持ち上げたときに、トップカバー５の回動角度θが例えば４５度以上となると共に、トップカバー５の前部下部と外箱２の前部上部との間の距離ｄが例えば２００ｍｍ以上となる構成となっている。
【００２９】
このような構成の本実施形態によれば、トップカバー５の前部を持ち上げたときに、トップカバー５の前部下部と外箱２の前部上部との間の距離ｄが２００ｍｍ以上となるように、リード線９における第１保持部１９と第２保持部２０との間に、たるみ部分２１を設けたので、外箱２からリード線９を取り外さなくても、トップカバー５の前部を十分な高さまで持ち上げることができ、修理作業を実行することができる。
【００３０】
また、本実施形態では、トップカバー５の前部を持ち上げたときに、トップカバー５の後部を回動視点Ｒとしてトップカバー５の回動角度θが４５度以上となるように、リード線９における第１保持部１９と第２保持部２０との間に、たるみ部分２１を設けたので、外箱２からリード線９を取り外さなくても、トップカバー５の前部を十分な高さまで持ち上げることができ、修理作業を実行することができる。
【００３１】
また、上記実施形態では、トップカバー５の内部に、リード線９のたるみ部分２１を逆Ｕ字状に曲げて収容するように構成したので、たるみ部分２１を必要十分な長さ確保することができるから、トップカバー５の前部を修理作業に必要な高さまで確実に持ち上げることができる。
【００３２】
更に、上記実施形態では、リード線９のたるみ部分２１を逆Ｕ字状に形成するに際して、たるみ部分２１の逆Ｕ字状の最上部２１ａを、トップカバー５の支持凸部２２の支持部２３により支持するように構成したので、逆Ｕ字状のたるみ部分２１を確実に形成することができる。また、上記構成によれば、リード線９のたるみ部分２１が移動することを防止することができる。尚、リード線９のたるみ部分２１が移動可能であると、洗濯運転時や脱水運転時等にリード線９のたるみ部分２１が水槽３に接触して、リード線９が断線したり、接続不良が発生したり、リード線９がトップカバー５からはみ出したりすることがあったが、上記構成によれば、このような不具合の発生を確実に防止することができる。
【００３３】
また、本実施形態においては、リード線９のたるみ部分２１を、洗濯機１の本体の後方に配設したので、トップカバー５の前部を十分な高さまで持ち上げることが可能になり、トップカバー５の前部の内側に配設された制御装置や操作パネル等の修理作業を容易に実行することができる。
【００３４】
また、全自動洗濯機においては、トップカバー５と外箱２との境より下方は、水槽３が振動するエリアであるため、リード線９が水槽３に接触して破損するおそれがある。これに対して、本実施形態では、リード線９のたるみ部分２１を、トップカバー５と外箱２との境より上方に配設して、トップカバー５の内部に収容するように構成したので、リード線９が水槽３に接触して破損することを確実に防止することができる。
【００３５】
（その他の実施形態）
以上説明した実施形態に加えて以下のような構成を加えても良い。
洗濯機能及び乾燥機能を備えた洗濯乾燥機に適用したが、乾燥機能を備えない全自動洗濯機に適用しても良い。
【００３６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
図面中、１は洗濯機、２は外箱、３は水槽、５はトップカバー、７は操作パネル、８は制御装置、９はリード線、１２は洗濯槽、１９は第１保持部、２０は第２保持部、２１はたるみ部分、２２は支持凸部、２３は支持部である。
【図１】
2019000300.tif 000003
【図２】
2019000300.tif 000004
【図３】
2019000300.tif 000005
【図４】
2019000300.tif 000006
【図５】
2019000300.tif 000007